(57)【特許請求の範囲】
【請求項１】
スロットマシン本体の一側に隣接状に配設される正面一定幅の直方形のボックスの内部にメダル揚送用リフトと下部タンクと上部タンクとメダル貸機とメダル回収精算機を設けると共に、上部タンクからスロットマシン本体の補給口にメダルを補給する補給路を着脱自在に設け、スロットマシン本体の回収口からメダルを下部タンクに回収する回収路を回収口に着脱自在に設け、該ボックスの正面にはメダル貸機の現金挿入口，カード挿入口，メダル貸出口、およびメダル回収精算機のメダル回収口，操作パネルを設けてなることを特徴としたスロットマシンのメダル循環用ボックス。
【発明の詳細な説明】
【０００１】
【発明の属する技術分野】
本発明は、スロットマシンに隣接状に配置することにより該スロットマシンを稼動可能にすると共に、遊技者へのメダルの貸出および回収が行なわれるようにするスロットマシンのメダル循環用ボックスに関するものである。
【０００２】
【従来の技術】
スロットマシンは、周知のように、メダル投入口にメダルを投入しスタートレバーを操作することにより三列に配設された絵柄ドラムが回転し停止ボタンを押すことでそのドラムが停止し所定の確率で絵柄が揃った場合には景品払出口に所定数のメダルが払出されるよう構成された遊技機である。
【０００３】
ところで従来スロットマシンを遊技場に多数台設置するに当たっては、各スロットマシンからメダルを回収するコンベヤ、回収したメダルを揚送するリフト、そのメダルを各スロットマシンに配給するコンベヤ、およびメダル貸機、メダル回収精算機等を設けねばならない。このため、いったんこれらの付帯機器を設置すると、そのレイアウトを変更することは困難であり、また、スロットマシンの設置台数を増減することも困難であった。また、従来のスロットマシンは横並の一直線に配置することは上記コンベヤ工事の都合上容易であったが、曲線状、或いは円形状等のレイアウトは工事が容易でなくなるという問題があった。
【０００４】
【発明が解決しようとする課題】
そこで本発明は遊技場へのスロットマシンの据付，移動，設置台数の増減等を容易ならしめるスロットマシンのメダル循環用ボックスを提供しようとするものである。
【０００５】
【課題を解決するための手段】
そのために本発明に係るスロットマシンのメダル循環用ボックスは、スロットマシン本体の一側に隣接状に配設される正面一定幅の直方形のボックスの内部にメダル揚送用リフトと下部タンクと上部タンクとメダル貸機とメダル回収精算機を設けると共に、上部タンクからスロットマシン本体の補給口にメダルを補給する補給路を着脱自在に設け、スロットマシン本体の回収口からメダルを下部タンクに回収する回収路を回収口に着脱自在に設け、該ボックスの正面にはメダル貸機の現金挿入口，カード挿入口，メダル貸出口、およびメダル回収精算機のメダル回収口，操作パネルを設けてなることを特徴とする。
【０００６】
【発明の実施の形態】
次に図面と共に本発明の実施の形態を説明する。図１は、スロットマシン本体１とそのメダル循環用ボックス２の表側の斜視図である。スロットマシン本体１はその前面にメダル投入口３，スタートレバー４，絵柄ドラム５，停止ボタン６，メダル払出口７，呼出ランプ８等を設けてなる周知構造のボックス型の遊技機である。
【０００７】
メダル循環用ボックス２は該スロットマシン本体１の一側に隣接状に配設されるもので、正面一定幅の直方形のボックス１０の内部に図２，図３にも示したようにメダル揚送用リフト１１と下部タンク１２と上部タンク１３とメダル貸機１４とメダル回収精算機１５を設けている。
【０００８】
メダル揚送用リフト１１は下部タンク１２に貯留されたメダルを上部タンク１３に揚送するためのもので、その揚送中に研磨用ペレットとの接触により該メダルの表面が研磨されるようにしている。１６は該メダル揚送用リフト１１の駆動用モータ、１７はペレット回収用の竪パイプ、１８は下部タンク１２よりメダルをメダル揚送用リフト１１下部に送り出す送出用モータを示す。なおこのメダル揚送用リフト１１としては、このようなペレット方式のほか、ベルト方式，ホッパー方式等の他の形式のものであってもよい。
【０００９】
メダル貸機１４はボックス１０の前面に、紙幣を挿入し得る現金挿入口２０とカード挿入口２１とメダル貸出口２２が設けられている。また２３は貸出メダル枚数表示器である。２４は操作パネルで、該操作パネル２４にはメダル戻ボタン２５，カード要求ボタン２６，精算ボタン２７，カード取出ボタン２８が設けられている。また３０はメダル回収精算機１５のメダル回収口である。その他、ボックス１０の前面には表示ランプ３１，メダル滞留枚数表示器３２等が設けられている。
【００１０】
そして上部タンク１３からメダル貸機１４に貸出用のメダルを補給する筒状の補給路４０を設けると共に、上部タンク１３からスロットマシン本体１の補給口４１に景品用のメダルを補給する蛇腹ホース状の補給路４２を着脱自在に設けている。また、メダル回収精算機１５から下部タンク１２へは該メダル回収精算機１５にて回収されたメダルの回収路（図示せず）を設けると共に、スロットマシン本体１にて回収されたメダルをその回収口４３から下部タンク１２に回収する蛇腹ホース状の回収路４４を着脱自在に設けている。
【００１１】
このようにメダル循環用ボックス２が隣接状に配設されたスロットマシンでは、遊技場に図４に示すように各スロットマシン本体間にメダル循環用ボックス２が挟まれるように一直線状に並設することも、或いは図５に平面図を示したように４台のスロットマシン本体１を四角形に並べることもできるなど、遊技場内でのレイアウトが自由になり、その移動や増設も自由にできるようになる。
【００１２】
そして、遊技者は、現金挿入口２０に紙幣を挿入することでメダル貸出口２２に所定数のメダルが貸出されるので、そのメダルをメダル投入口３に入れて遊技する。そして景品として得られたメダルをメダル回収口３０に入れるとメダル滞留枚数表示器３２にそのメダル数が表示される。また、メダル戻ボタン２５を押すとメダル滞留枚数表示器３２に表示されていたメダル数を限度として再びメダル貸出口２２にメダルが貸出される。
【００１３】
そして遊技を終らさせる際には、カード要求ボタン２６を押し店員から所定のＩＣカードを借り受けてカード挿入口２１にそのＩＣカードを挿入し、精算ボタン２７を押すとメダル滞留枚数表示器３２に表示されていたメダル数がそのＩＣカードに書き込まれる。そしてカード取出ボタン２８を押すことによりそのＩＣカードを取り出し、景品交換所に持って行くことにより、そのメダル数に応じた景品との交換が可能となる。
【００１４】
【発明の効果】
このように本発明のメダル循環用ボックスは、スロットマシン本体の一側に隣接状に配設し、メダルの補給路，回収路等を接続するだけで、スロットマシンを稼動可能にするものであるので、スロットマシンの移動，据付，増設等が容易となり、遊技場内のレイアウトの変更も自由で簡単に行なわれるようにするなど顕著な効果がある。
【図面の簡単な説明】
【図１】本発明に係るスロットマシンとそのメダル循環用ボックスの表側の斜視図。
【図２】本発明に係るメダル循環用ボックスの裏側の透視斜視図。
【図３】本発明に係るメダル循環用ボックスの側面図。
【図４】本発明に係るスロットマシンとそのメダル循環用ボックスの配置を示す正面図。
【図５】本発明に係るスロットマシンとそのメダル循環用ボックスの配置を示す平面図。
【符号の説明】
１      スロットマシン本体
２      メダル循環用ボックス
１０    ボックス
１１    メダル揚送用リフト
１２    下部タンク
１３    上部タンク
１４    メダル貸機
１５    メダル回収精算機
２０    現金挿入口
２１    カード挿入口
２２    メダル貸出口
２３    貸出メダル枚数表示器
２４    操作パネル
２５    メダル戻ボタン
２６    カード要求ボタン
２７    精算ボタン
２８    カード取出ボタン
３０    メダル回収口
４０    補給路
４１    補給口
４２    補給路
４３    回収口
４４    回収路
【図１】
0003612171.tif 000002
【図２】
0003612171.tif 000003
【図３】
0003612171.tif 000004
【図４】
0003612171.tif 000005
【図５】
0003612171.tif 000006